(57)【要約】【課題】ノイズ等の悪影響により時刻修正の頻度を落とすことを極力抑え、高精度の時刻を維持する。【解決手段】チューナ２１、３１により同時に時報を含むメイン局、サブ局それぞれの電波を受信し、トーンデコーダ３１、３２によりチューナ２１、３１からの音声信号に含まれる時報の予報音、正報音に応じた２系統の出力信号を取得する。制御手段７１は時報検出手段６１にメイン局についての出力信号に含まれる時報に対応する時報信号の検出をさせ、当該検出タイミングに基づいて時刻修正を行う。サブ局についての出力信号をＲＡＭ４３に記憶しておき、制御手段７１はメイン局につき時報信号が検出できなかったときには、記憶したサブ局の出力信号を再生してこれを時報検出手段６１に与えて検出動作をさせ、時報信号の検出タイミングに基づいて時刻修正を行う。【選択図】図１
2010281642.tif 000002
【特許請求の範囲】
【請求項１】
時報を重畳した電波を受信して前記時報に基づいて時刻修正を行う時刻修正装置であって、
時刻を計時する計時手段と、
互いに異なるチャンネルの前記電波を受信して前記時報に応じた出力信号を出力する第１及び第２の受信手段と、
前記第２の受信手段の出力信号を記憶する記憶手段と、
前記記憶手段に記憶された前記第２の受信手段の出力信号を再生する再生手段と、
前記第１の受信手段からの前記出力信号又は前記再生手段からの前記出力信号に基づいて前記時報に対応する時報信号を検出する時報検出手段と、
前記時報検出手段の前記時報信号の検出タイミングに基づいて前記計時手段の時刻を修正する修正手段と、
所定のタイミングに前記時報検出手段に前記第１の受信手段の前記出力信号に基づく前記時報信号の検出を開始せしめると同時に、前記記憶手段への前記第２の受信手段の前記出力信号の記憶を開始せしめ、前記時報検出手段が前記第１の受信手段の前記出力信号に基づき前記時報信号を検出したときには、前記修正手段に当該検出タイミングに基づいて前記計時手段の時刻を修正せしめ、前記時報検出手段が前記第１の受信手段の出力信号に基づき前記時報信号を検出できなかったときには、前記再生手段に前記出力信号の再生をせしめるとともに前記時報検出手段に当該再生された前記出力信号に基づく前記時報信号の検出を開始せしめ、前記時報検出手段が当該再生された前記出力信号に基づき前記時報信号を検出したときには、前記修正手段に当該検出タイミングに基づいて前記計時手段の時刻を修正せしめる制御手段と、
を備えることを特徴とする時刻修正装置。
【請求項２】
前記第１の受信手段及び前記第２の受信手段は、前記電波を受信して得られた信号に第１の周波数の信号が検出されたときと、前記電波を受信して得られた信号に第２の周波数の信号が検出されたときと、に出力信号を出力するものであり、
前記時報検出手段は、時間軸上の第１の有効範囲内で前記出力信号を受けた後に、時間軸上の第２の有効範囲内で前記出力信号を受けたことをもって前記時報信号の検出とするものである
ことを特徴とする請求項１に記載の時刻修正装置。
【請求項３】
前記記憶手段には所定のサンプリング周期で前記第２の受信手段からの前記出力信号を所定のサンプリング周期でサンプリングして得られたデータが記憶され、前記再生手段は、前記記憶手段からデータを読み出して前記サンプリング周期で前記出力信号として再生することを特徴とする請求項１又は２に記載の時刻修正装置。
【請求項４】
前記第２の受信手段と、前記第記憶手段とを複数備えたことを特徴とする請求項１乃至３の何れかに記載の時刻修正装置。
【請求項５】
互いに異なるチャンネルの電波を受信する第１の受信手段及び第２の受信手段からの前記電波に重畳された時報に応じた出力信号が入力されるコンピュータに、前記時報に基づいて時刻の修正を行う処理を実行させる時刻修正用プログラムであって、
時刻を計時する計時処理と、
前記第２の受信手段の出力信号を所定の記憶領域に記憶する記憶処理と、
前記記憶処理により記憶された前記第２の受信手段の前記出力信号を再生する再生処理と、
前記第１の受信手段からの前記出力信号又は前記再生処理により再生される前記出力信号に基づいて前記時報に対応する時報信号を検出する時報検出処理と、
前記時報検出処理の前記時報信号の検出タイミングに基づいて前記計時処理の計時する時刻を修正する修正処理と、
所定のタイミングに前記第１の受信手段の前記出力信号に基づく前記時報検出処理を開始すると同時に、前記記憶処理による前記記憶領域への前記第２の受信手段の前記出力信号の記憶を開始し、前記時報検出処理により前記第１の受信手段の前記出力信号に基づき前記時報信号を検出したときには、前記修正処理により当該検出タイミングに基づいて前記計時処理の計時する時刻を修正し、前記時報検出処理による前記第１の受信手段の前記出力信号に基づく前記時報信号の検出ができなかったときには、前記再生処理による前記出力信号の再生を開始するとともに当該再生された前記出力信号に基づく前記時報検出処理を開始し、前記時報検出処理により当該再生された前記出力信号に基づき前記時報信号を検出したときには、前記修正処理により当該検出タイミングに基づいて前記計時処理の計時する時刻を修正する制御処理と、
を実行させることを特徴とする時刻修正用プログラム。
【発明の詳細な説明】
【技術分野】
【０００１】
本発明は、時刻修正装置に関するものであり、特にラジオ放送等の時報に基づき時刻修正を行う時刻修正装置及び時刻修正用プログラムに関するものである。
【背景技術】
【０００２】
従来からラジオ放送の時報を用いて時刻修正を行う時刻修正装置を備えた時計がある。ＮＨＫ（日本放送協会、以下、ＮＨＫ）の時報は、０．１秒継続する４４０Ｈｚの予報音を１秒間隔で３回送信し、その１秒後に１秒継続し減衰する８８０Ｈｚの正報音を送信するという構成となっている。
【０００３】
この種の時刻修正装置では、ノイズ等の影響による誤修正、ラジオ受信機の故障により修正が行われないという問題があり、その対策として２つのラジオ受信機を備えたものがある。例えば、特許文献１に示される時刻修正装置では、２台のラジオ受信機を用い、各ラジオ受信機からの時報信号の論理積出力によって装置内の時計の時刻修正を行うことにより、ノイズ等の影響による誤修正を抑えようとしている。また、この時刻修正装置は、各ラジオ受信機からの時報信号の検出出力の論理和出力によって計数回路の計数内容を歩進し、時刻修正が行われた場合には計数回路をリセットするように構成してあり、計数回路が所定値を計数したときに報知信号を発生し、ラジオ受信機の故障等の不具合を報知可能としてある。
【先行技術文献】
【特許文献】
【０００４】
【特許文献１】特開昭６３−４２４９３号公報
【発明の概要】
【発明が解決しようとする課題】
【０００５】
特許文献１に示されるものでは、２つのラジオ受信機により時報を時報信号として検出し、同時に時報信号を検出したタイミングを正時として時計の時刻修正を行うため、ノイズ等の悪影響を受けて一方のラジオ受信機が時報信号を検出できなかっただけで時刻修正を行えず、時刻修正の頻度が少なくなるという問題があった。
【課題を解決するための手段】
【０００６】
本発明の時刻修正装置は、時報を重畳した電波を受信して前記時報に基づいて時刻修正を行う時刻修正装置であって、時刻を計時する計時手段と、互いに異なるチャンネルの前記電波を受信して前記時報に応じた出力信号を出力する第１及び第２の受信手段と、前記第２の受信手段の出力信号を記憶する記憶手段と、前記記憶手段に記憶された前記第２の受信手段の出力信号を再生する再生手段と、前記第１の受信手段からの前記出力信号又は前記再生手段からの前記出力信号に基づいて前記時報に対応する時報信号を検出する時報検出手段と、前記時報検出手段の前記時報信号の検出タイミングに基づいて前記計時手段の時刻を修正する修正手段と、所定のタイミングに前記時報検出手段に前記第１の受信手段の前記出力信号に基づく前記時報信号の検出を開始せしめると同時に、前記記憶手段への前記第２の受信手段の前記出力信号の記憶を開始せしめ、前記時報検出手段が前記第１の受信手段の前記出力信号に基づき前記時報信号を検出したときには、前記修正手段に当該検出タイミングに基づいて前記計時手段の時刻を修正せしめ、前記時報検出手段が前記第１の受信手段の出力信号に基づき前記時報信号を検出できなかったときには、前記再生手段に前記出力信号の再生をせしめるとともに前記時報検出手段に当該再生された前記出力信号に基づく前記時報信号の検出を開始せしめ、前記時報検出手段が当該再生された前記出力信号に基づき前記時報信号を検出したときには、前記修正手段に当該検出タイミングに基づいて前記計時手段の時刻を修正せしめる制御手段と、を備えることを特徴とする。
【０００７】
また、前記第１の受信手段及び前記第２の受信手段は、前記電波を受信して得られた信号に第１の周波数の信号が検出されたときと、前記電波を受信して得られた信号に第２の周波数の信号が検出されたときと、に出力信号を出力するものであり、前記時報検出手段は、時間軸上の第１の有効範囲内で前記出力信号を受けた後に、時間軸上の第２の有効範囲内で前記出力信号を受けたことをもって前記時報信号の検出とするものであることが好ましい。
【０００８】
前記記憶手段には所定のサンプリング周期で前記第２の受信手段からの前記出力信号を所定のサンプリング周期でサンプリングして得られたデータが記憶され、前記再生手段は、前記記憶手段からデータを読み出して前記サンプリング周期で前記出力信号として再生することが好ましい。
【０００９】
前記第２の受信手段と、前記第記憶手段とを複数備えることも好ましい。
【００１０】
本発明の時刻修正用プログラムは、互いに異なるチャンネルの電波を受信する第１の受信手段及び第２の受信手段からの前記電波に重畳された時報に応じた出力信号が入力されるコンピュータに、前記時報に基づいて時刻の修正を行う処理を実行させる時刻修正用プログラムであって、時刻を計時する計時処理と、前記第２の受信手段の出力信号を所定の記憶領域に記憶する記憶処理と、前記記憶処理により記憶された前記第２の受信手段の前記出力信号を再生する再生処理と、前記第１の受信手段からの前記出力信号又は前記再生処理により再生される前記出力信号に基づいて前記時報に対応する時報信号を検出する時報検出処理と、前記時報検出処理の前記時報信号の検出タイミングに基づいて前記計時処理の計時する時刻を修正する修正処理と、所定のタイミングに前記第１の受信手段の前記出力信号に基づく前記時報検出処理を開始すると同時に、前記記憶処理による前記記憶領域への前記第２の受信手段の前記出力信号の記憶を開始し、前記時報検出処理により前記第１の受信手段の前記出力信号に基づき前記時報信号を検出したときには、前記修正処理により当該検出タイミングに基づいて前記計時処理の計時する時刻を修正し、前記時報検出処理による前記第１の受信手段の前記出力信号に基づく前記時報信号の検出ができなかったときには、前記再生処理による前記出力信号の再生を開始するとともに当該再生された前記出力信号に基づく前記時報検出処理を開始し、前記時報検出処理により当該再生された前記出力信号に基づき前記時報信号を検出したときには、前記修正処理により当該検出タイミングに基づいて前記計時処理の計時する時刻を修正する制御処理と、を実行させることを特徴とする。
【発明の効果】
【００１１】
本発明では、２つの受信手段により同時に時報を含む２系統の電波（後述するメイン局、サブ局それぞれの電波）を受信して時報に応じた２系統の出力信号を取得し、一方の出力信号に基づき時報に対応する時報信号を検出したときには当該検出タイミングに基づいて時刻修正を行い、他方の出力信号を記憶する。本発明は、一方の出力信号に基づき時報信号が検出できなかったときには、記憶した他方の出力信号を再生し、当該再生された出力信号に基づき時報信号を検出したときには当該検出タイミングに基づいて時刻修正を行う。これにより、ノイズ等の悪影響により２系統の電波の一方の受信に不具合があっても、他方の受信が正常に行われ時報信号を含む出力信号が記憶されていれば、直ちに当該出力信号を再生して時報信号を検出し、当該検出タイミングに基づいて時刻修正を行うことが可能となる。本発明ではノイズ等の悪影響により時刻修正の頻度を落とすことを極力抑え、高精度の時刻を維持することが可能となる。
【図面の簡単な説明】
【００１２】
【図１】図１は本発明の実施形態に係わる時刻修正装置の構成を示すブロック図である。
【図２】図２は本発明の実施形態に係わる時刻修正装置の動作説明のためのタイミングチャートであり、時報及びこれに対応するトーンデコーダの出力信号を説明するためのものである。
【図３】図３は本発明の実施形態に係わる時刻修正装置の動作説明のためのフローチャートであり、全体の動作を説明するためのものである。
【図４】図４は本発明の実施形態に係わる時刻修正装置の動作説明のためのフローチャートであり、時報検出手段の動作説明のためのものである。
【図５】図５は本発明の実施形態に係わる時刻修正装置の動作説明のためのタイミングチャートであり、メイン局の電波を正常に受信して得られた出力信号を時刻修正に用いる場合の動作を説明するためのものである。
【図６】図６は本発明の実施形態に係わる時刻修正装置の動作説明のためのタイミングチャートであり、サブ局の電波を受信して得られた出力信号を記憶して後にこれを再生して時刻修正に用いる場合の動作を説明するためのものである。
【図７】図７は本発明の実施形態に係わる時刻修正装置の動作説明のための説明図であり、サブ局の電波を受信して得られた出力信号の記憶動作を説明するためのものである。
【図８】図８は本発明の実施形態に係わる時刻修正装置の動作説明のためのフローチャートであり、サブ局の電波を受信して得られた出力信号の記憶動作を説明するためのものである。
【図９】図９は本発明の実施形態に係わる時刻修正装置の動作説明のための説明図であり、サブ局の電波を受信して得られた出力信号の再生動作を説明するためのものである。
【図１０】図１０は本発明の実施形態に係わる時刻修正装置の動作説明のためのフローチャートであり、サブ局の電波を受信して得られた出力信号の再生動作を説明するためのものである。
【発明を実施するための形態】
【００１３】
図１は、本発明の実施形態の時刻修正装置のブロック図であり、時刻修正装置１０は、計時手段１１と、チューナ２１、２２と、トーンデコーダ３１、３２と、入力ポート４１と、レジスタ手段４２と、ＲＡＭ４３と、出力ポート５１と、時報検出手段６１と、制御手段７１と、信号選択手段７２とからなる。計時手段１１、レジスタ手段４２、ＲＡＭ４３、時報検出手段６１、制御手段７１、信号選択手段７２は、コンピュータ８１の図示しないＣＰＵ、ＲＯＭ、ＲＡＭ等のハードウェア及びソフトウェア、すなわち、コンピュータ８１上で実行されるプログラムにより実現される。例えば、レジスタ手段４２は、コンピュータ８１の適当なレジスタを用い、コンピュータ８１上で実行されるレジスタへのデータ格納処理により実現される。すなわち、後述する各フローチャートに示す動作は、それぞれの処理のためのプログラムをコンピュータ８１上で実行することにより実現され、これらの処理のためのプログラムにより本発明の時刻修正用プログラムが構成される。
【００１４】
計時手段１１は、時刻修正装置１０の時刻を計時するものであり、コンピュータ８１上で実行される計時処理により実現する。
【００１５】
チューナ２１、２２は、図示しないアンテナに接続され、ラジオ放送の電波を受信する受信装置であり、当該電波にて搬送される音声信号を復調する。チューナ２１はメインとなる所定の放送局（以下、メイン局という）からの時報を含む電波を受信可能なように設定されている。チューナ２２はサブとなる所定の放送局（以下、サブ局という）からの時報を含む電波を受信可能なように設定されている。メイン局、サブ局は、時刻修正装置１０を設置した地域において互いに異なるチャンネルで時報を含む電波を送信する放送局から適宜に選択すればよい。例えば、千葉県船橋市近郊に時刻修正装置１０を設置する場合、メイン局の電波として東京のＮＨＫのＦＭ放送（８２．５ＭＨｚ）を選択し、サブ局の電波として千葉のＮＨＫのＦＭ放送（８０．７ＭＨｚ）を選択するなどすればよい。また、時刻修正装置１０の設置場所で複数の放送局の電波を受信できれば、受信状態の良い電波をメイン局とするようにすればよい。また、メイン局の電波としてＮＨＫのＦＭ放送とし、サブ局の電波としてＮＨＫのラジオ第１放送を選択するなど、時刻修正装置１０の設置場所において受信可能な時報を含む電波の種類に応じてチューナ２１、２２として適宜なものを設ければよい。
【００１６】
トーンデコーダ３１、３２は、それぞれチューナ２１、２２からの音声信号を受け、音声信号に含まれる４４０Ｈｚの予報音、８８０Ｈｚの正報音を検出して出力端子３１Ａ、３２Ａからの出力信号の状態を変化させる。例えば、図２に示すように１秒毎の３回の４４０Ｈｚの予報音、その１秒後の８８０Ｈｚの正報音のそれぞれの発生タイミングに出力端子からの出力信号を“Ｈ”から“Ｌ”へ立ち下げ、消失のタイミングに“Ｈ”に戻す。なお、８８０Ｈｚの正報音については、発生から１秒後に減衰を開始するが、この減衰の開始を消失とみなしている。トーンデコーダ３１、３２は、４４０Ｈｚ、８８０Ｈｚにある音声信号が所定の閾値を超えたときに出力信号を“Ｈ”から“Ｌ”へ立ち下げる。３回の予報音とこれらに続く正報音とで時報は構成され、出力信号はこれに対応して３回の０．１秒間の“Ｌ”に続く１秒間の“Ｌ”となり、この出力信号の遷移により時報信号を表す。
【００１７】
チューナ２１とトーンデコーダ３１とにより第１の受信手段が構成され、チューナ２２とトーンデコーダ３２とにより第２の受信手段が構成される。
【００１８】
入力ポート４１は、コンピュータ８１の入力ポートであり、トーンデコーダ３２に接続され、トーンデコーダ３２の出力信号を受け、出力信号を１ｍ秒周期でサンプリングし、出力信号が“Ｈ”の状態を“１”、出力信号が“Ｌ”の状態を“０”とコンピュータ８１においてデータとして扱える状態に変換し、すなわち、出力信号をレジスタ手段４２が読み取り可能なデータに変換するものである。なお、サンプリング周期は１ｍ秒に限るものではなく、１００μ秒など適宜に選択すればよい。
【００１９】
レジスタ手段４２は、８ｂｉｔのレジスタ４２Ａを用い、入力ポート４１のデータを１ｍ秒周期でレジスタの最下位のｂｉｔから順にレジスタに格納し、８ｂｉｔのデータをレジスタに格納する毎に、この８ｂｉｔ毎のデータをＲＡＭ４３の先頭のアドレスから順にＲＡＭ４３に書き込むものである。これにより、トーンデコーダ３２の出力信号がＲＡＭ４３に記憶される。入力ポート４１、レジスタ手段４２及びＲＡＭ４３により記憶手段が構成される。
【００２０】
また、レジスタ手段４２は、ＲＡＭ４３に書き込まれた８ｂｉｔ毎のデータを先頭のアドレスから順に読み出し、８ｂｉｔのレジスタ４２Ｂに格納し、１ｍ秒周期で最下位のｂｉｔから順に出力ポート５１へ出力するものである。これにより、出力ポート５１からは、トーンデコーダ３２の出力信号に相当する出力信号が出力されることになり、出力信号の再生が実現される。出力ポート５１、レジスタ手段４２により再生手段が構成される。
【００２１】
時報検出手段６１は、信号選択手段７２を介して、トーンデコーダ３１からの出力信号または出力ポート５１からの出力信号を選択的に受け、これら出力信号から時報信号を検出するものである。
【００２２】
信号選択手段７２は、トーンデコーダ３１からの出力信号または出力ポート５１からの出力信号を制御手段７１の出力に応じて選択的に出力するものである。信号選択手段７２は、例えば、コンピュータ８１の図示しない入力ポートをトーンデコーダ３１に接続し、上述の入力ポート４１と同様に出力信号を１ｍ秒周期でサンプリングして出力信号が“Ｈ”の状態を“１”、出力信号が“Ｌ”の状態を“０”としたデータとし、図示しない所定のレジスタに書き込むことで時報検出手段６１に出力する。また、信号選択手段７２は、出力ポート５１のデータを上述の所定のレジスタに書き込むことで時報検出手段６１に出力する。
【００２３】
時報検出手段６１は、１ｍ秒周期で更新される上述の所定のレジスタの内容が、“１”から“０”に変わるタイミングを検出して、出力信号の立下りのタイミングと検出する。時報検出手段６１は、図２に示すように最初の出力信号の立下りのタイミングから１秒の前後５０ｍ秒の期間を有効期間Ｗ１と設定し、有効期間Ｗ１に２回目の出力信号の立下りのタイミングを検出すると、２回目の出力信号の立下りのタイミングから１秒の前後５０ｍ秒の期間を有効期間Ｗ２と設定し、有効期間Ｗ２に３回目の出力信号の立下りのタイミングを検出すると、３回目の出力信号の立下りのタイミングから１秒の前後５０ｍ秒の期間を有効期間Ｗ３と設定し、有効期間Ｗ３に４回目の出力信号の立下りのタイミングを検出すると、時報信号を検出したとする。有効期間Ｗ１、Ｗ２は上述の第１の有効期間であり、有効期間Ｗ３は上述の第２の有効期間である。時刻修正装置１０では、４回目の出力信号の立下りのタイミングを時報が示す正時のタイミングに対応するものとして、これに基づいて計時手段５１の時刻修正を行う。
【００２４】
制御手段７１は、全体の動作を制御するとともに、時報検出手段６１の検出した時報信号の４回目の出力信号の立下りのタイミングに基づいて計時手段５１の計時する時刻の修正を行い、上述の修正手段を兼ねる。
【００２５】
次に時刻修正装置１０の動作について説明する。図３のフローチャートは、時刻修正装置１０の全体の動作、換言すれば、制御手段７１の動作を示すものである。同図に添って説明する。制御手段７１の動作は、コンピュータ８１上で実行される制御処理により実現される。制御手段７１は、計時手段の計時する時刻が所定の時報の受信タイミングとなると、すなわち、正時（例えば、正午）の１０秒前（例えば、午前１１時５９分５０秒）となると、動作を開始し、信号選択手段７２にトーンデコーダ３１からの出力信号を選択して時報検出手段６１に出力せしめ、時報検出手段６１に時報信号の検出動作を開始せしめる。制御手段７１は図示しない信号線を介してチューナ２１、２２、トーンデコーダ３１、３２のオン、オフを制御し、これらにも動作を開始させる。なお、チューナ２１、２２、トーンデコーダ３１、３２については所定の助走期間だけ早めに動作を開始させてもよい。制御手段７１は、動作開始と同時にレジスタ手段４２にトーンデコーダ３２からの出力信号をＲＡＭ４３に記憶せしめる（ステップＳ１１）。そして、時報検出手段６１による時報信号の検出の有無を監視する（ステップＳ１２）。制御手段７１は、時報信号が検出されなければ（ステップＳ１２：Ｎｏ）、ＲＡＭ４３に所定の記憶時間、２０秒分のトーンデコーダ３２からの出力信号の記憶が完了するまで監視を継続する（ステップＳ１３）。
【００２６】
ここで、時報検出手段６１は、信号選択手段７２を介してトーンデコーダ３１からの出力信号を受け、時報信号の検出動作を行う。図４のフローチャートはこの時報信号の検出動作を説明するためのものであり、これに添ってこの検出動作を説明する。時報検出手段６１の動作は、コンピュータ８１上で実行される時報の検出処理により実現される。時報検出手段６１は、図示しない第１のタイマをスタートする（ステップＳ２１）。なお、この第１のタイマは、１秒毎に値をカウントアップする処理であり、第１のタイマの初期値は０であり、ｗ３はスタートから２０秒後に対応する値である。この間、時報検出手段６１は、出力信号の立下りの有無を監視し、すなわち、信号選択手段７２の更新する所定のレジスタの出力する値が“１”から“０”に変化するか否かを監視し、出力信号の立下りを検出する（ステップＳ２２）。時報検出手段６１は、出力信号の立下りが検出できなければ（ステップＳ２２：Ｎｏ）、第１のタイマの値がｗ３を超えるまで出力信号の立下りの有無の監視を継続する（ステップＳ２３）。時報検出手段６１は、第１のタイマの値がｗ３を超える（ステップＳ２３：Ｙｅｓ）と、動作を終了する（エンド）。
【００２７】
時報検出手段６１は、出力信号の立下りを検出する（ステップＳ２２：Ｙｅｓ）と、第２のタイマをスタートさせる（ステップＳ２４）。この第２のタイマは、１ｍ秒毎に値をカウントアップする処理であり、初期値は０であり、ｗ１はスタートから９５０ｍ秒後に対応する値であり、ｗ２はスタートから１０５０ｍ秒後に対応するものである。そして、時報検出手段６１は、出力信号の立下りの回数に対応した図示しないカウンタのカウント値を１つインクリメントする（ステップＳ２５）。カウント値の初期値は０であり、ここで、時報検出手段６１は、最初の立下りを検出するとカウント値を１とする。これにより、最初の予報音の発生タイミングに対応する出力信号の立下りを検出済みであることが記憶される。時報検出手段６１は、出力信号の２回目以降の立下りについても監視し、出力信号の立下りを検出する（ステップＳ２６）。時報検出手段６１は、出力信号の立下りが検出できなければ（ステップＳ２６：Ｎｏ）、第２のタイマの値がｗ２を超えるまで出力信号の立下りの有無の監視を継続する（ステップＳ２７）。時報検出手段６１は、第２のタイマの値がｗ２を超える（ステップＳ２７：Ｙｅｓ）と、カウント値をクリアする（ステップＳ２８）。すなわち、直前の出力信号の立下りから許容できる有効期間に出力信号の立下りを検出しておらず、先の出力信号の立下りは正規の予報音の発生タイミングに対応する出力信号の立下りではない状態にあり、最初の予報音の発生タイミングに対応する出力信号の立下りを検出済みでない状態にカウント値を戻す。ステップＳ２８でカウント値をクリアしてステップＳ２２以降の動作に戻る。これにより、許容できる有効期間外の出力信号の立下りをノイズ等の影響によるものとして排除してある。
【００２８】
時報検出手段６１は、出力信号の立下りを検出する（ステップＳ２６：Ｙｅｓ）と、この検出タイミングにおいて第２のタイマの値がｗ１を超えたか否か確認する（ステップＳ２９）。例えば、図２に示すように、最初の出力信号の立下りから１秒の前後５０ｍ秒の有効期間に検出された出力信号の立下りを、時報の２回目の予報音の発生タイミングに対応した正規のタイミングとするが、ここで、第２のタイマの値がｗ１を超えていない場合（ステップＳ２９：Ｎｏ）、先の出力信号の立下り、または、今回の出力信号の立下りがノイズ等による出力信号の立下りで正規のタイミングの出力信号の立下りを検出できていない状態である。この場合、時報検出手段６１は、カウント値をクリアする（ステップＳ２Ａ）。時報検出手段６１は、次に第２のタイマの値をクリアし（ステップＳ２Ｂ）、ステップＳ２４以降の動作に戻って第２のタイマをスタートさせた後、カウンタ値を１つインクリメントする（ステップＳ２５）。ここでは、出力信号の立下りを1つ検出したことを記憶した状態で次の出力信号の立下りまでの時間が計測される。なお、ステップＳ２６〜Ｓ２４に戻る迄のタイムラグは、サンプリング周期、例えば、１ｍ秒より十分小さく無視できるものとする。
【００２９】
時報検出手段６１は、次に出力信号の立下りを検出すると（ステップＳ２６：Ｙｅｓ）、この検出タイミングにおいて第２のタイマの値がｗ１を超えたか否か確認する（ステップＳ２９）。ここで、値がｗ１を超えていない場合（ステップＳ２９：Ｎｏ）、時報検出手段６１は、ステップＳ２Ａ以降の動作に戻る。これにより、ノイズ等、例えば、最初の予報音の発生迄に予報音以外の音声により生じる出力信号の立下りを排除してある。なお、図２では説明の便宜上、ノイズ等による出力信号の立下りは図示していない。また、出力信号の立下りの検出タイミングにおいて第２のタイマの値がｗ１を超えている場合（ステップＳ２９：Ｙｅｓ）、この出力信号の立下りの検出の直前のステップＳ２７でタイマの値がｗ２を超えていないことが確認されてあり、この出力信号の立下りは、図２に示すように、最初の出力信号の立下りから１秒の前後５０ｍ秒の有効期間に検出された出力信号の立下りで、時報の２回目の予報音の発生タイミングに対応した正規のタイミングのものに相当する。時報検出手段６１は、次にカウント値が３であるか否か確認する（ステップＳ２Ｃ）。ここで、カウント値が３でない場合（ステップＳ２Ｃ：Ｎｏ）、時報検出手段６１は、ステップＳ２Ｂ以降の動作に戻って第２のタイマの値をクリアし、第２のタイマをスタートさせ（ステップＳ２４）、カウンタ値を１つインクリメントする（ステップＳ２５）。ここでは、カウント値は２となっており、時報の２回目の予報音の発生タイミングに対応した出力信号の立下りを検出したことを記憶した状態で、次の出力信号の立下りまでの時間が計測される。
【００３０】
時報検出手段６１は、次に出力信号の立下りを検出すると（ステップＳ２６：Ｙｅｓ）、この検出タイミングにおいて第２のタイマの値がｗ１を超えている場合（ステップＳ２９：Ｙｅｓ）、カウント値が３か否かを確認し（ステップＳ２Ｃ）、３でない場合（ステップＳ２Ｃ：Ｎｏ）、時報検出手段６１は、ステップＳ２Ｂ以降の動作に戻って第２のタイマの値をクリアし、第２のタイマをスタートさせ（ステップＳ２４）、次にカウンタ値を１つインクリメントする（ステップＳ２５）。この場合、図２に示すように、出力信号の２回目の立下りから１秒の前後５０ｍ秒の有効期間Ｗ２にあることを意味し、時報検出手段６１は、この有効期間Ｗ２に検出された出力信号の立下りを、時報の３回目の予報音の発生タイミングに対応した正規のタイミングとし、カウント値を３として３回目の予報音の発生タイミングに対応した出力信号の立下りを検出したことを記憶した状態で、次の出力信号の立下りまでの時間を計測する。
【００３１】
時報検出手段６１は、次に出力信号の立下りを検出すると（ステップＳ２６：Ｙｅｓ）、この検出タイミングにおいて第２のタイマの値がｗ１を超えているか否か確認する。この検出タイミングにおいて第２のタイマの値がｗ１を超えている場合（ステップＳ２９：Ｙｅｓ）、この検出タイミングは、図２に示すように、出力信号の３回目の立下りから１秒の前後５０ｍ秒の有効期間Ｗ３にあることを意味する。時報検出手段６１は、この出力信号の立下りを、時報の正報音の発生タイミングに対応した正規のタイミングとし（ステップＳ２９：Ｙｅｓ）、カウント値が３か否かを確認する（ステップＳ２Ｃ）。ここで、３回目の予報音の発生タイミングに対応する出力信号の立下りを検出済みであることが記憶されているためにカウント値は３であり（ステップＳ２Ｃ：Ｙｅｓ）、時報検出手段６１は、ここでの出力信号の立下りを、時報の正報音の発生タイミングに対応した正規のタイミングとし、このタイミングにおいて時報信号を検出したとし（ステップＳ２Ｄ）、時報信号の検出動作を終了する（エンド）。
【００３２】
時報検出手段６１は、ステップＳ２Ｄにおいて時報の正報音の発生タイミングに対応した正規のタイミングを検出したときに、図示しない所定の記憶領域に時報信号の検出を示すフラグを格納し、制御手段７１への出力としてある。そして、制御手段７１は、図３のフローチャートのステップＳ１２においてこの記憶領域を監視する。図５に示すようにメイン局の時報の正報音の発生タイミングは時刻ｔ１となっており、制御手段７１は時報信号の検出がなったタイミングに計時手段７１から時刻ｔ１を取得することになる。制御手段７１は、この時刻ｔ１と正時の時刻ｔ０、ここでは、正午との誤差Δｔ１を特定する（ステップＳ１４）。例えば、計時手段７１の計時する時刻では、１００ｍ秒以下の値は１m秒でインクリメントされる値としてあり、この精度で誤差Δｔ１を求めるものとする。そして、制御手段７１は、既知の時刻修正方法を用い、誤差Δｔ１に基づいて計時手段７１の計時する時刻を修正する（ステップＳ１５）。
【００３３】
計時手段７１の計時する時刻を修正する方法としては様々なものが適用可能であり、例えば、特開２００５−１５６４４９号公報に開示されるような基準時刻との誤差に基づいて所定の期間に渡って徐々に誤差を解消するように計時手段の計時する時刻を修正する方法をとってもよく、その場合には基準時刻との誤差に代えて誤差Δｔ１を用いればよい。また、適当なタイミングに一度に現在時刻を修正する場合、誤差Δｔ１に基づき修正した時分秒までの時刻データを計時手段７１の記憶領域に記憶し、誤差Δｔ１の１００ｍ秒以下の値で時報と秒同期をとってこの時刻データを歩進し更新すればよい。例えば、現在時刻が時報の正時から２２００ｍ秒進んでいることを示す誤差Δｔ１の場合には、計時手段７１の計時する現在時刻が正時から３秒となるとこの時刻を時刻データとして記憶領域に格納し、この時刻データを計時手段７１の正時から２２００ｍ秒のタイミングから３秒の同期タイミング迄維持して修正後の現在時刻とするとともに、この同期タイミングに秒同期をとり、換言すれば、同期タイミングから１００ｍ秒以下の値の計数処理を開始し、計数値が１０００ｍ秒となると時刻データの秒位を１秒歩進するようにして、現在時刻を更新していく。また、例えば、現在時刻が時報の正時から２２００ｍ秒遅れていることを示す誤差Δｔ１の場合には計時手段７１の計時する正時から３秒後の時刻を時刻データとして記憶領域に格納し、この時刻データを計時手段７１の正時から８００ｍ秒経過した同期タイミングに修正後の現在時刻とするとともに、この同期タイミングに秒同期をとって現在時刻を更新していく。
【００３４】
制御手段７１は、ステップＳ１５において時刻修正を行うと、上述の一連の動作を終了し、次の時報の受信タイミングまで待機する（エンド）。図３のフローチャートでは、トーンデコーダ３２の出力信号のＲＡＭ４３への記憶を完了させてから動作を終了するか否かを特定していないが、記憶を完了させてから動作を終了してもよいし、記憶の途中で動作を終了させてもよい。説明の便宜上図５では記憶を完了させて動作を終了させた状態を示している。図５では、の破線で囲まれるサブ局についての時報信号を含む出力信号がＲＡＭ４３に記憶されることを示している。図３のフローチャートに示す動作終了とともに、制御手段７１はチューナ２１、２２、トーンデコーダ３１、３２の動作を停止させる。
【００３５】
図５では、メイン局、サブ局のそれぞれの時報信号が受信できている場合を示してある。これに対して図６では、サブ局の時報信号のみ受信できた場合を示しており、メイン局についての出力信号は“Ｈ”に維持されて時報信号を含んでいない。次にこの図６に示す場合の動作について説明する。この場合、図３のフローチャートのステップＳ１２において時報信号の検出がない状態が続き、この間制御手段７１は、ステップＳ１３において、トーンデコーダ３２の出力信号のＲＡＭ４３への記憶のための所定の記憶時間が終了したか、例えば、計時手段６１の現在時刻が正時から１０秒に達したかを監視する。
【００３６】
ここで、レジスタ手段４２によるトーンデコーダ３２の出力信号のＲＡＭ４３への記憶動作について、図７の動作説明図及び図８のフローチャートを参照しながら説明する。図７に示すようにトーンデコーダ３２からの出力信号を受けた入力ポート４１は、出力信号を１ｍ秒周期でサンプリングし、出力信号が“Ｈ”の状態を“１”、出力信号が“Ｌ”の状態を“０”とデータとして扱える状態に変換して出力している。レジスタ手段４２は、レジスタ４２Ａを用い、入力ポート４１のデータを１ｍ秒周期で読み込み（ステップＳ３１）、レジスタ４２Ａの最下位のｂｉｔから順次格納していく（ステップＳ３２）。レジスタ手段４２は、８ｂｉｔのデータをレジスタ４２Ａに格納する（ステップＳ３３：Ｙｅｓ）と、格納すべきＲＡＭ４３のアドレスを指定し（ステップＳ３４）、８ｂｉｔのデータをＲＡＭ４３に格納する（ステップＳ３５）。例えば、最初に、図７に示すようにＲＡＭ４３の先頭のアドレス１０００ｈを指定し、記憶動作の開始の０秒から８m秒迄の８ｂｉｔのデータ、例えば、“１１１１１１１１”をアドレスの指定するＲＡＭ４３の記憶領域に書き込み、格納する。レジスタ手段４２は、書き込み終了と同時に、レジスタ４２Ａのデータを消去し、レジスタ４２Ａをデータの格納が可能な状態とする。そして、レジスタ手段４２は、所定の記録時間が終了したかを確認し（ステップＳ３６）、終了していなければ（ステップＳ３６：Ｎｏ）、ステップＳ３１以降の動作に戻る。
【００３７】
レジスタ手段４２は、レジスタ４２Ａに８ｂｉｔのデータを格納する毎にＲＡＭ４３のアドレスを1つインクリメントしつつ指定し、指定するＲＡＭ４３のアドレスの記憶領域に順次８ｂｉｔのデータを記憶していく。図７では、１００１ｈ、１００２ｈ、・・・、１２７０ｈ、１２７１ｈというように順次インクリメントされるアドレスの右に記憶するデータの例として“１１１１１１１１”、“１１１１１１１１”、・・・、“００００００１１”、“００００００００”を示してある。アドレスの末尾のｈは、アドレスが１６進数で表示されていることを示す。この例では、８ｍ秒から１６ｍ秒迄のデータを格納する先頭から２番目のアドレスの１００１ｈ、１６ｍ秒から２４ｍ秒迄のデータを格納する３番目のアドレスの１００２ｈ、これ以降の１２６Ｆｈまでのアドレスではデータとして“１１１１１１１１”を継続して格納し、４９９２ｍ秒から５０００ｍ秒迄のデータを格納する６２５番目のアドレスの１２７０ｈではデータとして“００００００１１”を格納し、５０００ｍ秒から５００８ｍ秒迄のデータを格納する６２６番目のアドレスではデータとして“００００００００”を格納した状態を示している。この例では、４９９４ｍ秒から４９９５秒迄にトーンデコーダ３２からの出力信号が立ち下がった状態を示しており、この状態で記憶開始から４９９５秒に立下りがあったものとする。このようにして出力信号の状態がＲＡＭ４３に記憶される。
【００３８】
レジスタ手段４２は、所定の記録時間が終了したことを確認すると（ステップＳ３６：Ｙｅｓ）、記憶動作を終了する（エンド）。そして、図３のフローチャートのステップＳ１３において、制御手段７１は、記憶時間の終了を確認すると（ステップＳ１３：Ｙｅｓ）、信号選択手段７２に出力ポート５１からの出力信号を選択して時報検出手段６１に出力させるようにする（ステップＳ１６）。そして、計時手段１１の計時する現在時刻が正時から５０秒の時刻となると、レジスタ手段４２にＲＡＭ４３のデータからトーンデコーダ３２の出力信号の再生を開始させる（ステップＳ１７）。
【００３９】
ここでの、レジスタ手段４２によるＲＡＭ４３のデータからトーンデコーダ３２の出力信号を再生する再生動作について、図９の動作説明図及び図１０のフローチャートを参照しながら説明する。再生動作を開始するとレジスタ手段４２は先ずＲＡＭ４３の先頭のアドレス１０００ｈを指定する（ステップＳ４１）。レジスタ手段４２は、図９に示すように出力ポート５１に接続されたレジスタ４２Ｂを用いて、指定されたアドレスに基づき、ここでは、アドレス１０００ｈの８ｂｉｔのデータ“１１１１１１１１”をレジスタ４２Ｂに格納し（ステップＳ４２）、１ｍ秒周期でレジスタ４２Ｂの最下位のｂｉｔから順次出力ポート５１に出力する（ステップＳ４３）。レジスタ手段４２は、レジスタ４２Ｂの８ｂｉｔのデータを総て出力すると（ステップＳ４４：Ｙｅｓ）、レジスタ４２Ｂに格納したデータが上述の記憶動作によりＲＡＭ４３に記憶されたトーンデコーダ３２の出力信号の最終データか否か確認し（ステップＳ４５）、最終データでなければ（ステップＳ４５：Ｎｏ）、ＲＡＭ４３の次のアドレスを指定する（ステップＳ４６）。そしてステップＳ４２以降の動作に戻って指定されたアドレスに基づき、ＲＡＭ４３のデータをレジスタ４２Ｂに格納する。ここでは、２番目のアドレス１００１ｈのデータ“１１１１１１１１”がレジスタ４２Ｂに格納され、１ｍ秒周期でレジスタ４２Ｂの最下位のｂｉｔから順次出力ポート５１に出力される。同様にしてＲＡＭ４３のデータが先頭側のアドレスから最終データのアドレスまで順次読み出され、１ｍ秒周期で出力ポート５１から出力されて出力信号として再生される。レジスタ手段４２は、ＲＡＭ４３の最終データのアドレスのデータまで読み出されていれば（ステップＳ４５：Ｙｅｓ）、再生動作を終了する（エンド）。
【００４０】
ここで、制御手段７１の指示により、時報検出手段６１は再生動作の開始とともに図４のフローチャートに示したと同様の時報信号の検出動作を開始している。ここで、時報検出手段６１は信号選択手段７２を介して出力ポート５１からの出力信号を受け、この出力信号に対して時報信号の検出動作を行う。そして、制御手段７１は、図３のフローチャートのステップＳ１８に示すように時報検出手段６１の時報信号の検出の有無を確認する。この確認動作はステップＳ１２と同様にして行われる。時報検出手段６１の時報信号の検出がなければ（ステップＳ１８：Ｎｏ）、制御手段７１は、所定の記録時間分のＲＡＭ４３のデータの再生動作が終了したか否かを確認し（ステップＳ１９）、再生動作が終了するまでステップＳ１８の時報信号の検出の有無の確認を行う。データの再生動作が終了しても時報信号が検出されない場合（ステップＳ１９：Ｙｅｓ）には、サブ局についても時報信号が受信できていない場合であり、動作を終了する（エンド）。
【００４１】
制御手段７１は、ステップＳ１８において時報信号が検出された場合（ステップＳ１８：Ｙｅｓ）、制御手段７１は時報信号が検出されたタイミングに計時手段７１から時刻ｔ３を取得する。この時刻ｔ３は、ＲＡＭ４３に記憶されたデータから再生された出力信号に基づく時報信号の検出時刻であり、サブ局の時報が示す正時のタイミングから１分後のタイミングに対応する時刻となっている。制御手段７１は計時手段７１の計時する正時から１分後の時刻ｔ４（例えば、午前１２時０１分）と、時刻ｔ３との誤差Δｔ２を特定する（ステップＳ１Ａ）。制御手段７１は、この誤差Δｔ２を用い、上述の誤差Δｔ１の場合と同様にして計時手段６１の時刻を修正し（ステップＳ１Ｂ）、動作を終了する（エンド）。
【００４２】
以上のように本発明の実施形態の時刻修正装置１０では、メイン局、サブ局それぞれの電波を受信して２系統の出力信号を取得し、メイン局の出力信号に含まれる時報信号を検出したときには当該検出タイミングに基づいて時刻修正を行い、メイン局の出力信号につき時報信号が検出できないときには、記憶したサブ局の出力信号を再生し、当該再生された出力信号に含まれる時報信号を検出したときには当該検出タイミングに基づいて時刻修正を行う。これにより、ノイズ等の悪影響により２系統の電波の一方の受信に不具合があっても、他方の受信が正常に行われ時報信号を含む出力信号が記憶されていれば、直ちに当該出力信号を再生して時報信号を検出し、当該検出タイミングに基づいて時刻修正を行うことが可能となる。本発明ではノイズ等の悪影響により時刻修正の頻度を落とすことを極力抑え、高精度の時刻を維持することが可能となる。
【００４３】
本発明は上述の実施の形態に限らず様々な変更が可能である。例えば、上述の実施の形態では、トーンデコーダ３１、３２は、通過周波数帯を予報音の４４０Hz近傍、正報音の８８０Ｈｚ近傍とした２つのバンドパスフィルタを備えるものとした。チューナ２１、２２からの音声信号に通過周波数帯の成分があれば、それぞれのバンドパスフィルタから信号が出力される。トーンデコーダ３１、３２は、２つのバンドパスフィルタからの信号を区別せずにこれらの信号が出力されている場合に出力信号を“Ｌ”とし、バンドパスフィルタから信号が出力されていない場合に出力信号を“Ｈ”とするように構成した。これに限らず、予報音、正報音別に２系統の出力信号を出力するトーンデコーダを用いてもよい。その場合、時報検出手段は２系統の出力信号に基づいて時報信号を検出する構成とし、記憶手段は２系統の出力信号を記憶する構成とし、信号選択手段は２系統の出力信号を１組の信号系としてトーンデコーダ、記憶手段からの信号系を切り換える構成とすればよい。また、時報検出手段６１は、時報信号の検出のために出力信号の立下りを有効なものとする有効期間Ｗ１〜Ｗ３を用いており、これらの有効期間は同じ長さの期間としたが、これに限らず、有効期間Ｗ１〜Ｗ３を段階的に短く設定するようにしてもよいし、正報音に対する有効期間を特に短く設定するようにしてもよい。例えば、本発明は、特開２００８−１９０９１８号公報に開示される時刻修正装置に適用可能であり、その正報音の発生タイミングを特定する構成を時報検出手段として用い、サブ局の受信系を追加して、サブ局の予報音、正報音の２系統のトーンデコーダの出力信号を記憶する記憶手段を設けて、メイン局の受信系を用いて正報音の発生タイミングを特定できない場合に記憶手段に記憶された出力信号を再生し、時報検出手段で正報音の発生タイミングを特定するようにすればよい。
【００４４】
上述の実施の形態では、ＲＡＭ４３に記憶した出力信号を実際にトーンデコーダ３２の出力信号を記憶したときのサンプリング周期で再生するようにしたが、本発明はこれに限るものではない。上述したように出力信号は上述のサンプリング周期でＲＡＭ４３に記憶されて各アドレスのデータは時間軸と対応付けられており、再生手段が、上述のサンプリング周期とは異なる読出し周期でＲＡＭ４３からデータを読み出すように構成を変更し、再生手段からのデータに基づき時報信号を検出するときに時報検出手段が、読出し周期で動作して出力信号の立下りを示す、データの“１”から“０”に切り替わりの時間軸上の位置を特定するように変更し、時報の正時のタイミングを特定するようにしてもよい。時間軸上の位置の特定は、図４のフローチャートに示す動作のようにデータの“１”から“０”に切り替わった時点のタイマ値としてもよいし、再生手段が８Ｂｉｔのデータとそのアドレスとを時報検出手段に送るようにして、時報検出手段が、“１”から“０”に切り替わりを含むアドレスと、“０”に切り替わったｂｉｔの位置とから特定するようにしてもよい。
【００４５】
上述の実施の形態では、ＲＡＭ４３に出力信号を記憶する際に、サンプリング周期毎のデータを総て記憶するようにしたが、本発明はこれに限るものではなく、データを圧縮して記憶するようにしてもよい。例えば、サンプリング周期を１ｍ秒として、データ“１”が９００ｍ秒続いた区間のデータを“０１”、“０３８４ｈ” （ｈは１６進数を示し、以下同様）で示し、データ“０”が１００ｍ秒続いた区間のデータを“００”、“００６４”でとして示し、ＲＡＭ４３に記憶するようにする。そして、データを読み出し、“０１”でデータ“１”を示し、これに続く“０３８４ｈ”でデータ“１”が９００ｍ秒続くことを示し、“００”でデータ“０”を示し、これに続く“００６４ｈ”でデータ“０”が１００ｍ秒続くことを示すものとして、“０３８４ｈ”、“００６４ｈ”をそれぞれのデータ“１”、“０”を継続させるために用いるカウンタのカウント値として、データを再生するように構成してもよい。このように構成すれば、ＲＡＭ４３に必要とされる記憶容量を抑えることが可能となる。なお、データの圧縮手法はこれに限らず様々な手法を適宜に採用すればよい。
【００４６】
上述の実施の形態では、トーンデコーダの出力信号の立下りに基づき、時報信号を検出してそのタイミングを特定するようにしたが、本発明はこれに限るものではない。例えば、トーンデコーダの出力信号の立上りに基づき、時報信号を検出してそのタイミングを特定するようにしてもよい。予報音に対応するトーンデコーダの出力信号の立上りは予報音の消失タイミングに同期し、出力信号の立下りに対して１００ｍ秒だけ遅れており、３回目のトーンデコーダの出力信号の立上りの検出タイミングを時報信号の検出タイミングとし、この検出タイミングは正報音の発生タイミングに対して９００ｍ秒だけ進んでおり、この進み分をオフセットとしてこれを加味して時刻修正するようにしてもよい。同様に、２回目のトーンデコーダの出力信号の立上りの検出タイミングを時報信号の検出タイミングとしてもよく、この検出タイミングは正報音の発生タイミングに対して１９００ｍ秒だけ進んでおり、この進み分をオフセットとしてこれを加味して時刻修正するようにすればよい。なお、上述の実施の形態では、トーンデコーダの出力信号は、予報音、正報音のない状態を“Ｈ”の状態としたが、この状態を“Ｌ”としてもよい。この場合、上述の実施の形態の出力信号の「立下り」を「立上り」とすればよく、上述の予報音の消失タイミングに同期した出力信号の「立上り」を「立下り」とすればよい。
【００４７】
上述の実施の形態では、第２の受信手段としてのチューナ２２、トーンデコーダ３２、記憶手段としての入力ポート４１、レジスタ手段４２、ＲＡＭ４３を１つ設けることとしたが、本発明はこれに限るものではない。本発明は第２の受信手段、記憶手段を複数設け、複数の第２の受信手段のトーンデコーダの出力信号を記憶するように構成してもよい。このようにすれば、上述の実施の形態よりもさらに時刻修正の機会を確保することが可能となる。複数の記憶手段は各第２の受信手段に対応付けられた記憶領域であればよく、レジスタ手段は、各第２の受信手段に対応付けられた入力ポートの状態を各記憶領域に格納し、各記憶領域から選択手段に出力するように構成されていればよい。この場合、複数の第２の受信手段、記憶手段に優先順位を付け、例えば、受信状態の良い電波を受信する第２の受信手段の記憶手段から優先的にデータの再生を行い、再生された出力信号により時報信号の検出がなされた場合は、これに基づいて時刻修正を行い、時報信号が検出されなかった場合は、優先順位の低い記憶手段に記憶させたデータの再生を行い、これに基づいて時刻修正を行い、時報信号が検出されなかった場合は、さらに優先順位の低い記憶手段に記憶させたデータの再生を行うように構成すればよい。これに限らず、上述のように各記憶手段に記憶させたデータを適宜な周期で読み出して出力信号の立下りを示す、データの“１”から“０”に切り替わりの時間軸上の位置を特定するように構成し、各記憶手段のデータについての再生処理を平行して行ようにしてもよい。
【符号の説明】
【００４８】
１０  時刻修正装置
１１  計時手段
２１  チューナ（第１の受信手段）
３１  トーンデコーダ（第１の受信手段）
２２  チューナ（第２の受信手段）
３２  トーンデコーダ（第２の受信手段）
４１  入力ポート（記憶手段）
４２  レジスタ手段（記憶手段、再生手段）
４３  ＲＡＭ（記憶手段）
５１  出力ポート（再生手段）
６１  時報検出手段
７１  制御手段（修正手段）
７２  信号選択手段（制御手段）
【図１】
2010281642.tif 000003
【図２】
2010281642.tif 000004
【図３】
2010281642.tif 000005
【図４】
2010281642.tif 000006
【図５】
2010281642.tif 000007
【図６】
2010281642.tif 000008
【図７】
2010281642.tif 000009
【図８】
2010281642.tif 000010
【図９】
2010281642.tif 000011
【図１０】
2010281642.tif 000012